(57)【特許請求の範囲】
【請求項１】
商品取出口の後方に設けられた商品搬出口に上端が支持され、商品搬出口を開閉する搬出扉を備えた自動販売機において、
前記商品搬出口が形成された枠部材の左右両側に、商品搬出口を閉鎖した状態の搬出扉の左右両端部を係合させる溝を設けた
ことを特徴とする自動販売機。
【請求項２】
前記搬出扉の上端に、左右両側に延びる支軸を設け、
枠部材の内面の左右両側に、支軸を軸支する軸支部を設け、
軸支部は、所定の幅寸法を有すると共に前後方向に延びる溝状に形成され、支軸が前後方向に移動可能に設けられた第１溝部と、第１溝部の前面側に連続する溝状に設けられ、支軸が回転可能に設けられた第２溝部とからなり、
支軸は、搬出扉が商品搬出口を閉鎖した状態において、上下方向の外形寸法が第１溝部の幅寸法以下に形成され、上下方向以外の少なくとも一部の外形寸法が第１溝部の幅寸法よりも大きく形成されている
ことを特徴とする請求項１記載の自動販売機。
【請求項３】
前記搬出扉の上端に、左右両側に延びる支軸を設け、
枠部材の内面の左右両側に、支軸を軸支する軸支部を設け、
軸支部は、支軸が回転可能に設けられた第１溝部と、所定の幅寸法を有すると共に第１溝部から上方に延びる溝状に形成され、支軸が上下方向に移動可能に設けられた第２溝部とからなり、
支軸は、搬出扉が商品搬出口を閉鎖した状態において、前後方向の外形寸法が第２溝部の幅寸法以下に形成され、前後方向以外の少なくとも一部の外形寸法が第２溝部の幅寸法よりも大きく形成されている
ことを特徴とする請求項１記載の自動販売機。
【請求項４】
前記搬出扉の上端に、左右両側に延びるように設けられ、それぞれ端部に向かって下面が斜め上方に傾斜する支軸を設け、
枠部材の内面の左右両側に、支軸を下側から支持する軸支部を設け、
枠部材の軸支部の下方に、左右方向一方にずらした状態の搬出扉が接触することにより、搬出扉の前方への回転を規制する回転規制部を設けた
ことを特徴とする請求項１記載の自動販売機。
【請求項５】
前記搬出扉の回転規制部が接触する部分に、回転規制部と係合する係合部を設けた
ことを特徴とする請求項４記載の自動販売機。
【請求項６】
前記枠部材の商品搬出口の下方に、商品搬出口を閉鎖した状態の搬出扉の下端に沿って溝を設けた
ことを特徴とする請求項１乃至５のいずれか１項記載の自動販売機。
【請求項７】
前記枠部材の商品搬出口の下方に、溝の下側から前方に向かって斜め上方に延びる傾斜面を設けた
ことを特徴とする請求項６記載の自動販売機。
【請求項８】
前記搬出扉の幅方向両側を、それぞれ後方に向かって幅方向外側に延びるように形成した
ことを特徴とする請求項１乃至７のいずれか１項記載の自動販売機。
【発明の詳細な説明】
【技術分野】
【０００１】
本発明は、缶、ビンまたはペットボトル入り飲料等の商品を販売するための自動販売機に関するものである。
【背景技術】
【０００２】
従来、この種の自動販売機としては、商品取出口の後方に設けられた商品搬出口に上端が支持され、商品搬出口を開閉する搬出扉を備え、自動販売機本体内の商品収納室から搬出される商品によって搬出扉を前方に回転させることにより、商品搬出口を開放するものが知られている（例えば、特許文献１参照）。
【先行技術文献】
【特許文献】
【０００３】
【特許文献１】特開２００８−１０２６５５号公報
【発明の概要】
【発明が解決しようとする課題】
【０００４】
前記自動販売機では、搬出扉の背面側が商品搬出口を形成する枠部材の前面に接触した状態で商品搬出口を閉鎖している。このため、前記自動販売機では、商品搬出口を閉鎖した状態の搬出扉に左右方向の力を加えると、商品搬出口に対して搬出扉が幅方向に移動して搬出扉と商品搬出口との間に隙間が生じる。したがって、前記自動販売機では、商品取出口から侵入させた手で搬出扉に左右方向の力を加えることによって、商品搬出口と搬出扉との間に隙間を生じさせることができるので、その隙間に指を侵入させて商品搬出口を開放し、商品収納室内の商品を抜き取るといった不正行為が行われるおそれがある。
【０００５】
本発明の目的とするところは、搬出扉によって商品搬出口を閉鎖した状態において、商品搬出口と搬出扉との間の隙間を生じにくくすることにより不正行為を有効に防ぐことのできる自動販売機を提供することにある。
【課題を解決するための手段】
【０００６】
本発明は、前記目的を達成するために、商品取出口の後方に設けられた商品搬出口に上端が支持され、商品搬出口を開閉する搬出扉を備えた自動販売機において、前記商品搬出口が形成された枠部材の左右両側に、商品搬出口を閉鎖した状態の搬出扉の左右両端部を係合させる溝を設けている。
【０００７】
これにより、搬出扉の左右両側が溝に係合することによって、商品搬出口を閉鎖した状態の搬出扉の幅方向の移動が規制されることから、商品搬出口と搬出扉との間に隙間が生じにくくなる。
【発明の効果】
【０００８】
本発明によれば、商品搬出口と搬出扉との間に隙間が生じにくくなるので、商品取出口から手を侵入させて搬出扉を開放し、商品収納室内の商品を抜き取るといった不正行為を有効に防ぐことが可能となる。
【図面の簡単な説明】
【０００９】
【図１】本発明の第１実施形態を示す外扉を開放した状態の自動販売機の斜視図である。
【図２】内扉の要部側面断面図である。
【図３】搬出扉及び枠部材の要部平面断面図
【図４】軸支部の詳細を示す内扉の要部側面断面図である。
【図５】搬出扉及び枠部材の下部の要部側面断面図である。
【図６】本発明の第２実施形態を示す軸支部の詳細を示す内扉の要部側面断面図である。
【図７】搬出扉の回転が規制された状態を示す内扉の要部側面断面図である。
【図８】本発明の第３実施形態を示す搬出扉及び枠部材の正面図である。
【図９】搬出扉及び枠部材の要部平面断面図である。
【図１０】その他の例を示す搬出扉及び枠部材の要部側面断面図である。
【発明を実施するための形態】
【００１０】
図１乃至図５は、本発明の第１実施形態を示すものである。
【００１１】
この自動販売機は、図１に示すように、前面が開口された自動販売機本体１０と、自動販売機本体１０の前面開口を開閉するための外扉２０とを備えている。
【００１２】
自動販売機本体１０は、内部が上下方向に仕切られており、上部側に販売する商品を収納するための商品収納室１１が設けられ、下部側に商品収納室１１内を冷却または加熱する機器を収納するための機械室１２が設けられている。商品収納室１１は、上面側、背面側、底面側及び左右両側が断熱材によって囲まれ、前面側が断熱性の内扉１３によって開閉される。内扉１３は、左右方向一端側が自動販売機本体１０の前面側に回転自在に支持されている。内扉１３の下部には、商品収納室１１と外扉２０側の後述する商品取出口とを連通する商品搬出口１４が左右方向に複数設けられている。各商品搬出口１４には、商品搬出口１４を開閉可能な搬出扉１５が設けられている。商品収納室１１内の上部には、商品が収納され、商品を一つずつ落下搬出させる図示しない商品収納コラムが設けられている。また、商品収納室１１内の下部には、商品収納コラムから落下搬出された商品を前方に案内するためのデリバリシュート１６が設けられている。
外扉２０は、左右方向一端側が自動販売機本体１０の前面側に回転自在に支持されている。外扉２０の下部には、商品搬出口１４と対向する位置に商品取出口２１が設けられている。商品収納室１１内の商品は、商品搬出口１４を介して商品取出口２１に搬出される。商品取出口２１の前面側には、商品取出口２１を開閉する合成樹脂製の取出扉２２が設けられている。取出扉２２は、上端が回転自在に外扉２０に支持され、下端側を前方に回転させることにより商品取出口２１を開放する。
【００１３】
搬出扉１５は、図２に示すように、上端の左右両側からそれぞれ外側に延びる断面矩形状の角柱状に形成された支軸１５ａを有している。搬出扉１５は、商品搬出口１４を構成する枠部材１７の上部に支軸１５ａが軸支される。搬出扉１５は、合成樹脂製の板状部材からなり、商品搬出口１４を前面側から覆うように設けられている。搬出扉１５は、前面側に張り出すように設けられており、図３に示すように、その左右両側には所定の角度θで斜め後方に延びる傾斜面１５ｂが形成されている。また、搬出扉１５の各傾斜面１５ｂの左右両端部には、それぞれ上下方向に亘って後方に延びる延出部１５ｃが設けられている。各延出部１５ｃは、それぞれやや外側に向かって斜め後方に延びている。
【００１４】
枠部材１７は、図２及び図３に示すように、搬出扉１５の前後方向寸法よりも前後方向の寸法が大きく形成され、商品搬出口１４を閉鎖した状態の搬出扉１５が枠部材１７の内側の前後に納まる寸法である。枠部材１７の内側の左右両側には、図３に示すように、搬出扉１５の延出部１５ｃが挿入される上下方向に延びる溝１７ａが設けられている。溝１７ａは、指を挿入することができない幅寸法(例えば１０ミリメートル以下)に形成されている。搬出扉１５は、延出部１５ｃが溝１７ａに挿入されることにより、商品搬出口１４を閉鎖した状態で幅方向の移動が規制される。
【００１５】
ここで、搬出扉１５と枠部材１７との位置関係について説明する。商品搬出口１４を閉鎖している搬出扉１５は、図３に示すように、枠部材１７の前端よりも後方に位置している。また、搬出扉１５の各傾斜面１５ｂの幅方向外側の端部と枠部材１７の左右両側の内面との間の距離Ｗは、指を挿入することができない大きさであり、１０ミリメートル以下が好ましい。また、搬出扉１５の各傾斜面１５ｂは、搬出扉１５の左右両側に所定の角度θで斜め後方に延びるように形成されているが、所定の角度θは４５度以下が好ましい。
【００１６】
枠部材１７の内側の上部の左右両側には、搬出扉１５の支軸１５ａを軸支するための軸支部１７ｂが設けられている。軸支部１７ｂは、図４に示すように、搬出扉１５の支軸１５ａの回転を規制するための第１溝部としての回転規制部１７ｃと、支軸１５ａの回転を可能とする第２溝部としての回転許容部１７ｄとからなる。回転規制部１７ｃは、前後方向に延びる溝状に形成され、搬出扉１５の支軸１５ａが前後方向に移動可能に設けられている。また、回転規制部１７ｃは、溝の幅寸法（上下方向寸法）Ａが支軸１５ａの対角寸法Ｂよりも小さく形成されている。即ち、搬出扉１５の支軸１５ａは、搬出扉１５が商品搬出口１４を閉鎖した状態で、上下方向の寸法が軸支部１７ｂの回転規制部１７ｃの幅寸法以下に形成されるとともに、上下方向以外の外形寸法が回転規制部１７ｃの幅寸法より大きく形成されているため、回転規制部１７ｃにおいて回転が規制される。更に、回転規制部１７ｃは、前方から後方に向かってやや下り傾斜に形成され、搬出扉１５が自重で後方に移動する。回転許容部１７ｄは、回転規制部１７ｃの前側に連続する溝状に形成され、矩形状の支軸１５ａが回転可能な前後方向及び上下方向の寸法に形成されている。
また、枠部材１７の商品搬出口１４の下方には、図５に示すように、商品搬出口１４を閉鎖した状態の搬出扉１５の下端に沿って幅方向に延びる溝１７ｅが商品搬出口１４の幅方向に亘って形成されている。また、枠部材１７の内側の下面には、溝１７ｅの下側から前方に向かって斜め上方に延びる傾斜面１７ｆが幅方向に亘って設けられている。傾斜面１７ｆは、搬出扉１５の回転を妨げない範囲で商品搬出口１４を閉鎖した状態の搬出扉１５の下端の直下に位置している。
【００１７】
以上のように構成された自動販売機において、利用者によって商品を購入する操作が行われると、選択された商品が商品収納コラムから落下搬出される。商品収納コラムから落下搬出された商品は、デリバリシュート１６上を滑落して搬出扉１５を押して商品搬出口１４を開け、商品取出口２１に搬出される。商品を商品取出口２１に搬出する際、商品搬出口１４を閉鎖している搬出扉１５は、支軸１５ａが軸支部１７ｂの回転規制部１７ｃの後方に位置しているため、回転が規制されている。しかし、搬出扉１５は、デリバリシュート１６上を滑落する商品が後方から衝突することによって前方に移動し、回転許容部１７ｄまで移動したところで回転して商品搬出口１４を開放する。このように、商品を商品取出口１４に搬出する際には、搬出扉１５の回転が規制されることはなく、商品の搬出不良が生じることはない。また、商品搬出口１４を開放した搬出扉１５は、回転規制部１７ｃが前方から後方に向かって下り傾斜となっているため、自重によって回転規制部１７ｃの後方に移動し、商品搬出口１４を完全に閉鎖する。
【００１８】
次に、商品取出口２１から手を侵入させて、手で搬出扉１５を前方に回転させて商品搬出口１４を開放する不正行為が行われる場合について説明する。
【００１９】
搬出扉１５の左右方向の端部と枠部材１７との間に手を入れて商品搬出口１４を開放しようとする場合、商品搬出口１４を閉鎖している搬出扉１５は、延出部１５ｃが枠部材１７の溝１７ａに挿入された状態となっており、商品搬出口１４を閉鎖している搬出扉１５は、左右方向の移動が規制される。このため、搬出扉１５と商品搬出口１４との間には隙間が生じにくく、商品搬出口１４の開放を防ぐことが可能となる。また、搬出扉１５は、傾斜面１５ｂの幅方向外側の端部と枠部材１７の左右両側の内面との間の距離が１０ミリメートル以下に形成されている。このため、その間に手を挿入しにくくなり、商品搬出口１４の開放を防ぐことが可能となる。更に、搬出扉１５は、左右両側に４５度以下の角度で斜め後方に延びる傾斜面１５ｂが形成されている。このため、傾斜面１５ｂに手を引っ掛けにくくなり、商品搬出口１４の開放を防ぐことが可能となる。
【００２０】
また、搬出扉１５の下端側と枠部材１７との間に手を入れて商品搬出口１４を開放しようとする場合、商品搬出口１４を閉鎖した状態の搬出扉１５の下端に沿って幅方向に延びる溝１７ｅが枠部材１７の商品搬出口１４の下方に設けられているので、指先の爪を搬出扉１５の下端に引っ掛けようとしても溝１７ｅに引っ掛かる。このため、搬出扉１５の下端には、爪を引っ掛けにくくなり、商品搬出口１４の開放を防ぐことが可能となる。また、枠部材１７の内側の下面には後方から前方に向かって上り傾斜となる傾斜面１７ｆが形成されているので、指先の爪を搬出扉１５の下端に引っ掛けにくくなり、商品搬出口１４の開放を防ぐことが可能となる。更に、回転規制部１７ｃの幅方向寸法Ａは、搬出扉１５の支軸１５ａの対角寸法Ｂよりも小さく形成されている。このため、搬出扉１５の下端に手を引っ掛けることができたとしても、支軸１５ａは、回転規制部１７ｃに位置する場合に回転が規制され、商品搬出口１４の開放を防ぐことが可能となる。
【００２１】
このように、本実施形態の自動販売機によれば、枠部材１７の左右両側に、商品搬出口１４を閉鎖した状態の搬出扉１５の左右両側を係合させる溝１７ａを設けている。これにより、商品搬出口１４を閉鎖した状態の搬出扉１５の左右方向の移動が規制されて商品搬出口１４と搬出扉１５との間に隙間が生じにくくなるので、搬出扉１５の左右方向の端部と枠部材１７との間に手を入れて商品搬出口１４を開放し、商品収納室１１内の商品を抜き取るといった不正行為を防ぐことが可能となる。
【００２２】
また、支軸１５ａが、搬出扉１５が商品搬出口１４を閉鎖した状態において、上下方向の外形寸法が回転規制部１７ｃの幅寸法以下に形成され、上下方向以外の少なくとも一部の外形寸法が回転規制部１７ｃの幅寸法よりも大きく形成されている。これにより、搬出扉１５は、支軸１５ａが回転規制部１７ｃに位置する場合には回転が規制され、支軸１５ａが回転許容部１７ｄに位置する場合には回転するので、商品搬出口１４から搬出される商品が搬出扉１５の背面側に衝突することによって支軸１５ａを回転許容部１７ｄに移動させて商品搬出口１４を開放するが、回転規制部１７ｃにおいて搬出扉１５の下端側を前方に回転させても商品搬出口１４を開放することはなく、商品取出口２１から手を入れて搬出扉１５を前方に回転させて商品搬出口１４を開放しようとする不正行為を防ぐことが可能となる。
【００２３】
また、枠部材１７の商品搬出口１４の下方に、商品搬出口１４を閉鎖した状態の搬出扉１５の下端に沿って溝１７ｅを商品搬出口１４の幅方向に亘って設けている。これにより、指先の爪を搬出扉１５の下端に引っ掛けようとしても溝１７ｅに引っ掛かるので、搬出扉１５の下端には爪を引っ掛けにくくなり、搬出扉１５の下端に指を引っ掛けて商品搬出口１４を開放する不正行為を防ぐことが可能となる。
【００２４】
また、枠部材１７の商品搬出口１４の下方に、溝１７ｅの下側から前方に向かって斜め上方に延びる傾斜面１７ｆを商品搬出口１４の幅方向に亘って設けている。これにより、搬出扉１５の下端と傾斜面１７ｆとの間の隙間に前方から指先を侵入させることが困難となり、搬出扉１５の下端に指を引っ掛けて商品搬出口１４を開放する不正行為を防ぐことが可能となる。
【００２５】
搬出扉１５の左右両側を、それぞれ後方に向かって幅方向外側に延びるように形成している。これにより、搬出扉１５の左右両側の外側と内側が溝１７ａに接触するので、商品搬出口１４と搬出扉１５との間の気密を保持することが可能となる。
【００２６】
図６及び図７は、本発明の第２実施形態を示すものである。尚、前記実施形態と同様の構成部分については同一の符号を付して示す。
【００２７】
この自動販売機は、前記第１実施形態と同様に、搬出扉１５の支軸１５ａが断面矩形状に形成されている。また、枠部材１７の軸支部１７ｇは、図６に示すように、支軸１５ａの回転が可能に設けられた第１溝部としての回転許容部１７ｈと、回転許容部１７ｈの上方に向かって溝状に形成された第２溝部としての回転規制部１７ｉとから構成されている。回転規制部１７ｉの前後方向の寸法Ｃは、支軸１５ａの対角寸法Ｂよりも小さく形成されている。即ち、搬出扉１５の支軸１５ａは、搬出扉１５が商品搬出口１４を閉鎖した状態で、前後方向の寸法が軸支部１７ｇの回転規制部１７ｉの幅寸法以下に形成されるとともに、前後方向以外の外形寸法が回転規制部１７ｉの幅寸法よりも大きく形成されているため、回転規制部１７ｉにおいて回転が規制される。
【００２８】
以上のように構成された自動販売機において、商品を商品取出口２１に搬出する際、商品搬出口１４を閉鎖している搬出扉１５は、支軸１５ａが軸支部１７ｇの回転許容部１７ｈに位置している。つまり、搬出扉１５は、デリバリシュート１６上を滑落する商品が後方から衝突することによって前方に回転して商品搬出口１４を開放する。
【００２９】
また、搬出扉１５の下端側と枠部材１７との間に手を入れて商品搬出口１４を開放しようとする不正行為が行われる場合、搬出扉１５の下端に手を引っ掛けると、搬出扉１５全体が上方に移動し、図７に示すように、支軸１５ａが回転規制部１７ｉに移動して搬出扉１５の前方への回転を規制するため、商品搬出口１４の開放を防ぐことが可能となる。
【００３０】
このように、本実施形態の自動販売機によれば、支軸１５ａが、搬出扉１５が商品搬出口１４を閉鎖した状態において、前後方向の外形寸法が回転規制部１７ｉの幅寸法以下に形成され、前後方向以外の少なくとも一部の外形寸法が回転規制部１７ｉの幅寸法よりも大きく形成されている。これにより、搬出扉１５は、支軸１５ａが回転許容部１７ｄに位置する場合には回転し、上方に持ち上げられると、支軸１５ａが回転規制部１７ｉに移動して回転が規制されるので、商品搬出口１４から搬出される商品が搬出扉１５の背面側に衝突することによって商品搬出口１４を開放するが、搬出扉１５の下端側を上方に持ち上げて前方に回転させようとすると回転が規制され、商品取出口２１から手を入れて搬出扉１５を前方に回転させて商品搬出口１４を開放しようとする不正行為を防ぐことが可能となる。
【００３１】
図８及び図９は、本発明の第３実施形態を示すものである。尚、前記実施形態と同様の構成部分については同一の符号を付して示す。
【００３２】
この自動販売機は、搬出扉１５の上端に断面円形状の支軸１５ｄが左右両側に延びるように形成されている。この支軸１５ｄは、図８に示すように、下面側が幅方向外側に向かって上方に傾斜している。枠部材１７の内側の上部の左右両側には、支軸１５ｄを挿入することにより支軸１５ｄを下側から支持する軸支部１７ｊが設けられている。また、枠部材１７の溝１７ａの前方に位置する左右両側には、図９に示すように、回転規制部としての突起部１７ｋが設けられている。突起部１７ｋと同じ高さ位置に対応する搬出扉１５の左右両側には、突起部１７ｋと係合可能な係合部としての段差部１５ｅが設けられている。ここで、搬出扉１５の支軸１５ｄとしては、端部に向かって下側が上方に傾斜しているものに限られず、端部に向かっって外径寸法が小さくなる円錐形状に形成したものでもよい。
【００３３】
以上のように構成された自動販売機において、商品収納コラムから落下搬出された商品は、デリバリシュート１６上を滑落して搬出扉１５を押して商品搬出口１４を開け、商品取出口２１に搬出される。商品を商品取出口２１に搬出する際、回転する搬出扉１５は、端部に向かって下面側が上方に傾斜した左右それぞれの支軸１５ｄと軸支部１７ｊとの関係によって中央に位置するように制御される。これにより、商品を搬出する際に搬出扉１５が突起部１７ｋに接触することはない。
【００３４】
次に、搬出扉１５の左右方向の端部と枠部材１７との間に手を入れて商品搬出口１４を開放しようとする不正行為が行われる場合、商品搬出口１４を閉鎖している搬出扉１５は、延出部１５ｃが枠部材１７の溝１７ａに挿入された状態となっており、幅方向の移動が規制される。
しかし、さらに搬出扉１５を左右方向に移動させて商品搬出口１４を開放しようとする場合には、搬出扉１５の側面が突起部１７ｋに引っ掛かり、搬出扉１５の回転を規制するので、商品搬出口１４の開放を防ぐことが可能となる。このとき、突起部１７ｋには、搬出扉１５の段差部１５ｅが係合して引っ掛かるため、搬出扉１５の回転が確実に規制される。
【００３５】
このように、本実施形態の自動販売機によれば、搬出扉１５の上端に、それぞれ左右両側に延びるように設けられ、それぞれ端部に向かって下面が斜め上方に傾斜して延びるように形成された支軸１５ｄを設け、枠部材１７の軸支部１７ｊの下方に、左右方向一方にずらした状態の搬出扉１５の前方への回転を規制する突起部１７ｋを設けている。これにより、搬出扉１５の延出部１５ｃが枠部材１７の溝１７ａに挿入された状態において、さらに搬出扉１５を左右方向に移動させて商品搬出口１４を開放しようとすると、搬出扉１５の側面が突起部１７ｋに接触して搬出扉１５の回転を確実に規制するので、商品取出口２１から手を入れて搬出扉１５を前方に回転させて商品搬出口１４を開放しようとする不正行為を防ぐことが可能となる。
【００３６】
また、搬出扉１５の回転規制部１７ｉが接触する部分に、回転規制部１７ｉと係合する段差部１５ｅを設けている。これにより、突起部１７ｋに段差部１５ｅを係合させることによって確実に搬出扉１５の回転を規制することができる。
【００３７】
尚、前記第１及び第２実施形態では、搬出扉１５の支軸１５ａを断面矩形状に形成したものを示したが、これに限られるものではない。例えば、第１実施形態において、搬出扉１５が商品搬出口１４を閉鎖した状態で、搬出扉１５の支軸１５ａの上下方向の寸法を、軸支部１７ｂの回転規制部１７ｃの幅寸法以下に形成するとともに、支軸１５ａの上下方向以外の少なくとも一部の外形寸法を、回転規制部１７ｃの幅寸法より大きく形成すれば、断面楕円形状や五角形以上の多角形状でもよい。また、第２実施形態において、搬出扉１５が商品搬出口１４を閉鎖した状態で、搬出扉１５の支軸１５ａの前後方向の寸法を、軸支部１７ｇの回転規制部１７ｉの幅寸法以下に形成するとともに、支軸１５ａの前後方向以外の少なくとも一部の外形寸法を、回転規制部１７ｉの幅寸法より大きく形成すれば、断面楕円形状や五角形以上の多角形状でもよい。
【００３８】
また、前記第２実施形態では、搬出扉１５が上方に持ち上げられると、断面矩形状の支軸１５ａが、軸支部１７ｇの回転規制部１７ｉに位置して搬出扉１５の回転を規制するようにしたものを示したが、搬出扉１５の回転を規制する構造として、図１０に示すように、搬出扉１５の背面側の下端及び枠部材１７の商品搬出口１４の下方のそれぞれに鉤状部１５ｆ，１７ｌを設け、搬出扉１５を上方に持ち上げられたときに、搬出扉１５の鉤状部１５ｆと枠部材１７の鉤状部１７ｌが係合し、搬出扉１５の前方への回転を規制するようにしてもよい。
【符号の説明】
【００３９】
１４…商品搬出口、１５…搬出扉、１５ａ…支軸、１５ｃ…延出部、１５ｄ…支軸、１５ｅ…段差部、１７…枠部材、１７ａ…溝、１７ｂ…軸支部、１７ｃ…回転規制部、１７ｄ…回転許容部、１７ｅ…溝、１７ｆ…傾斜面、１７ｇ…軸支部、１７ｈ…回転許容部、１７ｉ…回転規制部、１７ｊ…軸支部、１７ｋ…突起部。
【図１】
0005388869.tif 000002
【図２】
0005388869.tif 000003
【図３】
0005388869.tif 000004
【図４】
0005388869.tif 000005
【図５】
0005388869.tif 000006
【図６】
0005388869.tif 000007
【図７】
0005388869.tif 000008
【図８】
0005388869.tif 000009
【図９】
0005388869.tif 000010
【図１０】
0005388869.tif 000011